(57)【要約】【課題】杖に設けられた収納用のポケットでは内容物の出し入れの際に落下する危険性があった。さらに内容物によっては杖の使用に支障が出るおそれもあった。そこで、内容物が落下することのない収納手段の確保と、多様な決済方法に配慮された杖を提供することを目的とする。【解決手段】本発明は、シャフト２と、グリップ３からなる歩行用杖であって、コード４ｂを伸縮させる伸縮手段４と、ＩＣカードを保持するＩＣカード保持手段５と、を備えた歩行用杖１である。伸縮手段４は、グリップ３の一部又は周辺に取り付けられており、ＩＣカード保持手段５は、コード４ｂの先端に連結され、コード４ｂの伸縮に伴ってグリップ３に接近し又は離反するよう構成されている。これにより、通常の使用においてＩＣカードが落下するおそれがなく、さらに多様な決済方法にも配慮され、杖の利便性向上に寄与している。【選択図】図１
2020025744.tif 000002
【特許請求の範囲】
【請求項１】
シャフトと、該シャフトの上端に設けられるグリップを含んでなる歩行用杖において、
コードを伸縮させる伸縮手段と、
ＩＣカードを保持するＩＣカード保持手段と、を備え、
前記伸縮手段は、前記グリップの一部又は該グリップの周辺に取り付けられ、
前記ＩＣカード保持手段は、前記コードの先端に連結され、前記コードの伸縮に伴ってグリップに接近し、グリップから離反する、
ことを特徴とする歩行用杖。
【請求項２】
前記グリップの握り手を支えるグリップバンドを、さらに備え、
前記グリップバンドは、前記シャフトの軸方向に平行又は略平行とされて両端２箇所で固定され、
前記グリップバンドの背面側に、前記ＩＣカード保持手段を着脱可能に係止するＩＣカード係止手段が設けられた、
ことを特徴とする請求項１記載の歩行用杖。
【請求項３】
前記伸縮手段は、前記グリップの上部に着脱可能に取り付けられた、
ことを特徴とする請求項１又は請求項２記載の歩行用杖。
【請求項４】
第１杖と第２杖からなる歩行用杖において、
前記第１杖及び前記第２杖は、それぞれシャフトと該シャフトの上端に設けられるグリップを含んで形成され、
前記第１杖の前記グリップの一部又は該グリップの周辺には、コードを伸縮させる伸縮手段が取り付けられ、
前記ＩＣカード保持手段は、前記コードの先端に連結され、前記コードの伸縮に伴ってグリップに接近し、グリップから離反する、
ことを特徴とする歩行用杖。
【請求項５】
前記第２杖を前記第１杖に係止させる杖係止手段を、
さらに備えたことを特徴とする請求項４記載の歩行用杖。
【発明の詳細な説明】
【技術分野】
【０００１】
本発明は、歩行用に使用される杖に関するものであり、より具体的には、ＩＣ（ｉｎｔｅｇｒａｔｅｄ ｃｉｒｃｕｉｔ）カード、すなわち、データの記録や演算のために集積回路を組み込んだカードを保持する手段を備えた杖に関するものである。
【背景技術】
【０００２】
従来、歩行機能に懸念のある高齢者を中心に、歩行の補助のための杖が使用されてきた。そのため、安全面に配慮した商品が多く、例えば、誤って手から杖を放してしまった場合でも、杖が倒れることのないよう転倒防止機能が備わっているもの、仮に杖が転倒した場合でも破損することのないよう強固に形成されたもの、などが市場に流通している。
また、杖を壁や家具に係止するための部材、杖を保持するために腰や肩などに掛ける紐など、杖の使用をサポートする商品もよく見受けられる。
【０００３】
一方、昨今の登山ブーム、健康増進活動の高まりにより、スポーツや歩行トレーニングなど、年齢、用途、場所を問わず、広く杖が用いられるようになっており、元来、杖に求められた歩行補助機能と安全性に加え、より生活の利便性を高める機能が望まれるようになった。
【０００４】
そこで、特許文献１では、杖の柄カバーに長方形のポケットが備えられたものを提案している。元々、環状部材に手を挿入することにより、杖の置き忘れと転倒を防止することを目的とした技術であったが、ポケットを備えたことで小銭や切符を入れて持ち歩くことができるようになった。
【先行技術文献】
【特許文献】
【０００５】
【特許文献１】特開２０１３−１４１５９５号公報
【発明の概要】
【発明が解決しようとする課題】
【０００６】
しかしながら、特許文献１におけるポケットは、前記技術の中では副次的な機能であり、そもそも杖の柄カバーの技術であるため、ポケットの収納容量は少なく、さらに使用できる杖の形状も限定されていた。
また、杖カバーに設けられたポケットに小銭を収納し小銭で決済をする場合には、決済額を確認し、ポケットに手を入れ、決済額以上となるよう小銭を選別し、選別した小銭をポケットから払い出し、おつりがあればおつりを受け取り、ポケットにおつりを収納する、という一連の工程を経ることから、特に小銭の払い出しとおつりの受け取り工程において、誤って小銭を落としてしまう危険性があった。小銭だけでなく、ポケットから複数回の出し入れが予想される切符なども、落下の危険性については同様である。内容物の落下については、ポケットの収納容量および強度にかかわらず、出し入れの回数が多いほどに危険性が高まると言える。
もし、ポケットの内容物を落としてしまった場合には、通常、下肢を曲げて拾う必要があるが、特に歩行の補助を目的として杖を使用しているケースでは、下肢を曲げることが困難な場合もある。杖を使用する需要者が、歩行あるいは下肢機能に何らかの不安を抱えている可能性は十分にあり、そのような事情に鑑みれば、杖に収納用のポケットのようなものを設ける場合には、併せて内容物の落下を防ぐ手段も講じることが望ましい。
しかしながら、前記技術では杖とともに小銭や切符を持ち歩くことができる、という点において利便性向上を示唆しているものの、内容物が落下する危険性を想定しておらず、その点につき、なんら解決策を提示していなかった。
【０００７】
このように、特許文献１は利便性向上の可能性を示唆したものの、たとえ小物を収納するポケットのようなものを設けたとしても内容物の落下を防ぐ措置が取られていない点に問題があり、生活の利便性が高まるほどに実用的な技術であるとは言い難かった。そこで、前記課題を解消する、より実用的な発明が求められていた。
【０００８】
本発明は、かかる課題を解決するために創案されたものである。すなわち、本発明の目的は、従来技術の問題点であった内容物の落下のおそれのない収納手段の確保と、多様な決済方法に配慮された杖を提供することにより、杖の利便性向上を図ることにある。
【課題を解決するための手段】
【０００９】
上記課題を解決するために、本願請求項１に記載の発明は以下の構成を有する。すなわち、
シャフトと、該シャフトの上端に設けられるグリップを含んでなる歩行用杖において、
コードを伸縮させる伸縮手段と、
ＩＣカードを保持するＩＣカード保持手段と、を備え、
前記伸縮手段は、前記グリップの一部又は該グリップの周辺に取り付けられ、
前記ＩＣカード保持手段は、前記コードの先端に連結され、前記コードの伸縮に伴ってグリップに接近し、グリップから離反する、
ことを特徴とする歩行用杖。
【００１０】
また、本願請求項２に記載の発明は以下の構成を有する。すなわち、
前記グリップの握り手を支えるグリップバンドを、さらに備え、
前記グリップバンドは、前記シャフトの軸方向に平行又は略平行とされて両端２箇所で固定され、
前記グリップバンドの背面側に、前記ＩＣカード保持手段を着脱可能に係止するＩＣカード係止手段が設けられた、
ことを特徴とする請求項１記載の歩行用杖。
【００１１】
また、本願請求項３に記載の発明は以下の構成を有する。すなわち、
前記伸縮手段は、前記グリップの上部に着脱可能に取り付けられた、
ことを特徴とする請求項１又は請求項２記載の歩行用杖。
【００１２】
また、本願請求項４に記載の発明は以下の構成を有する。すなわち、
第１杖と第２杖からなる歩行用杖において、
前記第１杖及び前記第２杖は、それぞれシャフトと該シャフトの上端に設けられるグリップを含んで形成され、
前記第１杖の前記グリップの一部又は該グリップの周辺には、コードを伸縮させる伸縮手段が取り付けられ、
前記ＩＣカード保持手段は、前記コードの先端に連結され、前記コードの伸縮に伴ってグリップに接近し、グリップから離反する、
ことを特徴とする歩行用杖。
【００１３】
また、本願請求項５に記載の発明は以下の構成を有する。すなわち、
前記第２杖を前記第１杖に係止させる杖係止手段を、
さらに備えたことを特徴とする請求項４記載の歩行用杖。
【発明の効果】
【００１４】
本発明の杖は、ＩＣカード保持手段を備えており、さらにＩＣカード保持手段はグリップの一部または周辺に取り付けられた伸縮手段のコードと連結されていることから、次のような効果がある。
（１）ＩＣカード保持手段を用いることで、杖の機能を損なうことなく、ＩＣカードをも使用することができ、いずれの利便性をも享受することができる。
（２）伸縮手段のコードの伸縮により、ＩＣカード保持手段の傾きや杖との距離を柔軟に変えることができるため、ほとんどの場合、ＩＣカード保持手段からＩＣカードを取り出すことなく使用が可能である。
（３）ＩＣカード保持手段は伸縮手段のコードによって連結されているため、もし手を放してしまったとしてもＩＣカード保持手段およびＩＣカードが落下するおそれがない。
【００１５】
本発明では、収納用ポケットの代わりに、ＩＣカード保持手段を用いている。プリペイド型かポストペイ型か、あるいは接触式か非接触式か、ＩＣカードにもさまざまな種類があるが、日常生活、特に杖を保持しながら出歩くような状況においては、ＩＣカード一枚で、大抵の店舗での決済が可能であり、特に交通系ＩＣカードであれば、電車やバスなどの公共交通機関も利用できる。そのため、ＩＣカード保持手段を備えることにより、小銭や切符を収納するポケット以上の有用性があると言える。
なお、収納用ポケットを用いる場合、内容物の量と種類によって重さの振れ幅が大きく、ポケットに内容物が収納されることによって杖のバランスを崩すなど、かえって杖の保持や使用の妨げとなるおそれがある。一方、本発明のＩＣカード保持手段においては、保持されるのはＩＣカードであり、重さはほぼ５〜８ｇ程度である。そのため、ポケットの場合と比べ、内容物によって極端に重くなるといった懸念がない。ゆえに、杖そのものの保持や使用の妨げとなりにくいという利点がある。
すなわち、本発明においては、杖そのものの利便性およびＩＣカードの利便性のいずれをも享受することが可能である。
【００１６】
また、収納用のポケットを用いる場合には、内容物を出し入れする際に誤って落下させるおそれがあるが、本発明はＩＣカード保持手段がコードによって連結されているため、もし手を放してしまったとしても落下するおそれがない。さらに、前述のコードの伸縮により、ＩＣカード保持手段の傾きや杖との距離を柔軟に変えることができるため、例えば、電車の改札、バス・タクシーの運賃支払、コンビニエンスストア等の数々の店舗での決済、自動販売機での購入などにおいて、ＩＣカード保持手段にＩＣカードを保持したまま使用が可能である。
すなわち、ＩＣカード保持手段からＩＣカードを出さなければならないような状況でない限り、内容物が落下する危険性はなく、昨今の公共交通機関の改札設置状況、店舗での決済システムなどを考慮すれば、想定される通常の使用において、ほぼＩＣカード保持手段からＩＣカードを出す必要がないため、内容物が落下する蓋然性も相当に低くなると考えられる。
【図面の簡単な説明】
【００１７】
【図１】本発明の歩行用杖を示す正面図である。
【図２】伸縮手段のコード収納部からコードが延出した状態を示す斜視図である。
【図３】伸縮手段のコード収納部によりコードが巻き取られた状態を示す斜視図である。
【図４】本発明の歩行用杖（二本杖の例）を示す正面図である。
【図５】面ファスナーを用いて杖を係止した状態を示す正面図である。
【図６】永久磁石を用いて杖を係止する例であり（ａ）は係止前の状態を示す図、（ｂ）は係止した状態を示す図である。
【図７】係止具を用いて杖を係止する例であり（ａ）は係止前の状態を示す図、（ｂ）は孔に挿通させて係止した状態を示す図である。
【図８】係止具の係止部を溝に嵌め込むことで杖を係止する例を示す図である。
【図９】永久磁石と係止具を併用して杖を係止する例であり（ａ）は係止前の状態を示す図、（ｂ）は係止した状態を示す図である。
【発明を実施するための形態】
【００１８】
以下、本発明の実施の形態の一例を図に基づいて説明する。
【００１９】
図１は、シャフト２と、シャフトの上端に設けられるグリップ３を含んでなる歩行用杖１である。なお、本発明における歩行用杖とは、松葉杖、ロフストランドクラッチ（前腕部支持型杖）、多点型杖など、医療・介護・福祉用の歩行補助を目的として使用される器具に限らず、例えば、ウォーキングポール、トレッキングポールなど、スポーツや歩行トレーニングなどの目的で使用される杖も含み、すなわち、歩行用に使用される杖全般を含むものである。説明の便宜上、図１に示す歩行用杖１はＩ字型であるが、これに限られるものではない。本発明においては、シャフト２とグリップ３を含んでなる歩行用杖１であれば形状は問わない。例えば、Ｔ字型杖、Ｌ字型杖、折り畳み杖、多点型杖、二本杖等でも構わない。
【００２０】
歩行用杖１には伸縮手段４が備えられている。伸縮手段４は、コード収納部４ａとコード４ｂからなる。伸縮手段４およびコード４ｂの伸縮状態を示したものが図２および図３である。図２は、コード４ｂを引っ張ることで、コード収納部４ａからコード４ｂが延出した状態を示し、図３はコード収納部４ａによってコード４ｂが巻き取られた状態を示している。
コード収納部４ａは、例えば、イヤホンコードの巻き取りホルダーや巻尺のようなものが挙げられる。コード収納部４ａにはコード４ｂが収納されており、コード４ｂの先端を引っ張ることにより、収納されていたコード４ｂが延出される。さらに、コード収納部４ａは、バネ等の弾性力を利用してコードを巻き取る機能を有しており、この手段により、コード４ｂの長さを自在に調節することが可能である。
コード４ｂを巻き取る機能については弾性力以外の力を利用するものでもよい。その場合は電力を利用した自動巻き取り機能などが考えられるが、もちろんこれに限るものではない。本発明では巻き取る機能を有していればよく、どのような構造であるかは問わない。
なお、便宜上、コード４ｂを伸縮させる伸縮手段４としているが、既述のとおり、実際にコード４ｂそのものが伸縮しているわけではなく、引っ張りに応じてコード４ｂが延出され、巻き取り機能によってコード４ｂが収納される状態を、それぞれ伸びた状態、縮んだ状態として、伸縮と定義しているに過ぎない。
【００２１】
歩行用杖１にはＩＣ（ｉｎｔｅｇｒａｔｅｄ ｃｉｒｃｕｉｔ：集積回路）カード（すなわち、データの記録や演算のために集積回路を組み込んだカード）を保持するＩＣカード保持手段５が備えられている。なお、本発明におけるＩＣカードとは、決済方法（プリペイド型、ポストペイ型）、接触方法（接触型、非接触型）にかかわらず、データの記録や演算のためにＩＣを組み込んだカード全般のことを示している。例えば、鉄道会社などが採用する交通系ＩＣカード、決済の多様性を実現する電子マネー、その他クレジットカード、キャッシュカード、デビットカード、ポイントカード機能を備えたＩＣカードなどももちろん含まれる。
なお、本発明の特徴に鑑みると、ＩＣカードには、非接触型ＩＣカード、とりわけ交通系ＩＣカードを用いることで、決済と公共交通機関の利用が円滑に行えるため、より利便性を高めることが可能である。もちろん、他のＩＣカードを用いても構わない点は先に述べたとおりである。
ＩＣカード保持手段５は、例えば、ＩＣカードを収納するホルダー等、袋状のものが挙げられるが、必ずしも袋状の構造を必要とせず、バンド等で保持してもよい。ＩＣカードとリーダー・ライターへの通信を阻害するものでなければ保持手段は問わない。接触型ＩＣカードを用いる場合には、カードの少なくともＩＣチップが埋設された側とリーダー・ライターが通信するため、利便性を考え、ＩＣチップが埋設された側を露出させるように保持するか、容易に露出できるように保持することが望ましい。
なお、ＩＣカード保持手段５は、コード４ｂの先端に連結されており、コード４ｂの伸縮に伴ってその傾きや上下左右の向き、杖との距離を柔軟に変更することができる。
【００２２】
本発明では、グリップ３を握ったまま、ＩＣカードが使用されることを想定している。よって、利便性を考慮すれば、コード４ｂがコード収納部４ａに収納された状態において、ＩＣカード保持手段５は手の周辺、すなわちグリップ３の周辺に保持されるのが望ましい。グリップ３の周辺でありながら、把持の妨げとならない位置に保持されるのであれば、なおよい。
【００２３】
ＩＣカード保持手段５がグリップ３の周辺に保持される場合、コード４ｂの先端にＩＣカード保持手段５が連結されている本発明の特性上、伸縮手段４はグリップ３の一部又は周辺に取り付けられることになる。
例えば、歩行用杖１がＩ字型の形状の場合は、グリップ３の上部（歩行用杖１の石突きを地面に立てた状態、つまり杖の通常の使用状態において、鉛直方向でグリップ３の上部に位置する箇所）に取り付けると、把持だけでなくＩＣカード使用の点でも勝手が良い。グリップ３に伸縮手段４を直接取り付ける場合には、例えば、グリップ３に嵌合部を設け、伸縮手段４に設けた被嵌合部との嵌め合いにより嵌合させる方法があるが、必ずしもこの方法でなくてもよい。また、間接的に取り付ける場合には、グリップ３の上部に、さらに間接部材を備え、間接部材に保持されるように伸縮手段４を取り付けてもよい。間接部材と伸縮手段４を、嵌合させてもよいし、伸縮手段４を間接部材に係止させてもよい。またはそれ以外の方法で取り付けても構わない。本発明において、取り付ける方法については問わない。もちろん、グリップ３の上部でなくとも、その周辺の場所に取り付けても構わない。
歩行用杖１がＴ字型の形状の場合は、グリップ３の前側先端部（歩行用杖１の石突きを地面に立てた状態つまり杖の通常の使用状態において、グリップ３を握った時に体の進行方向に向けられる面）に伸縮手段４を配置すると、ＩＣカードを使用する上で勝手が良い。その場合、ＩＣカード保持手段５をグリップ３の下部、シャフト２との連結部に係止しておくことで、ＩＣカードを使用しない場合でも、杖の把持の妨げとなりにくい。もちろん、それ以外の場所でも構わないし、グリップ３の周辺に取り付けてもよい。
さらに、伸縮手段４がグリップ３の一部又は周辺に取り付けられていることにより、ＩＣカード保持手段５は、コード４ｂの伸縮に伴ってグリップ３に接近し、離反することになる。より具体的には、コード４ｂが延出する（伸びる）ことでＩＣカード保持手段５がグリップ３から離反し、コード４ｂが収納される（縮む）ことで、ＩＣカード保持手段５はグリップ３に接近する。
【００２４】
次に、本例を踏まえて、好ましい実施の形態について説明する。
【００２５】
本例にて使用する歩行用杖１は、図４にて示すとおり二本杖である。既述のとおり、シャフト２とグリップ３を含んでなる歩行用杖１であれば、一本杖でもよく、杖の種類は問わないが、本例では二本杖を使用している。
本例の歩行用杖１は右手用、左手用の区別があるものの、杖としての機能はいずれも略同様であり、グリップ３の形状が各持ち手に合わせて改良されているにすぎない。少なくとも、いずれの持ち手用の杖であるかによって本発明の効果が左右されるものではない。
【００２６】
歩行用杖１には、コード収納部４ａとコード４ｂからなる伸縮手段４が備えられている。本例では、伸縮手段４は、グリップ３の上部、すなわち、歩行用杖１の石突きを地面に立てた状態（杖の通常の使用状態）において、鉛直方向でグリップ３の上部に位置する箇所に取り付けられているが、グリップ３の一部又は周辺であればよく、必ずしも上部に限られるものではない。本例のようなＩ字型の杖では、グリップ３の上部に取り付けることで、グリップ３を握る際の妨げにならず、さらにコード４ｂが収納された状態（すなわちＩＣカード保持手段５がグリップ３に接近した状態）はもちろんのこと、延出した状態（すなわちＩＣカード保持手段５がグリップ３から離反した状態）でも杖の使用に支障がない。
なお、グリップ３に伸縮手段４を取り付ける方法としては、直接的あるいは間接的に取り付ける方法があるが、直接的に取り付ける方法として、例えば、グリップ３に嵌合部を設け、伸縮手段４に設けた被嵌合部との嵌め合いにより嵌合させる方法があるのは先に述べたとおりである。もちろん、この方法に限定されるものではない。
本例では、間接的に取り付ける方法を採用し、グリップ３の上部にさらに凹部を有する間接部材を設け、この凹部に伸縮手段４を嵌合させている。間接部材と伸縮手段４とは、どのような方法で嵌合してもよく、もちろん凹部でなくてもよい。係合や係止でも構わない。本発明において取り付ける方法は問わない。例えばスライド式に係合させる方法、あるいはストラップのように係止する方法を用いてもよい。
この利点としては、伸縮手段４の着脱が可能である点が挙げられる。例えば、ＩＣカード保持手段５を使用しない場合には、伸縮手段４を取り外し、代わりに嵌合しうる歩数計を取り付けることも可能であるし、簡易スタンドを嵌合させて、カメラでの撮影やスマートフォン使用時の補助台として使用することもできる。
杖の利便性を向上させる目的に鑑みれば、方法の如何にかかわらず、また、いずれの場所に取り付けるにせよ、伸縮手段４およびＩＣカード保持手段５は状況に応じて着脱可能である方が、杖を保持したうえで様々な利便性を享受できるため、望ましい。
【００２７】
本例では、グリップ３の握り手を支えるものとしてグリップバンド６を備えている。通例として、歩行用杖１には保持のためにストラップが設けられるが、本例のように、グリップバンド６を採用することにより、歩行用杖１を保持し、かつ握り手も支持することが可能である。
グリップバンド６はシャフト２の軸方向に平行又は略平行であり、両端２箇所で固定されている。
【００２８】
本例のようにグリップバンド６を備えた場合には、図２や図３に示すように、グリップバンド６の背面側にＩＣカード係止手段７を設け、ＩＣカード保持手段５を着脱可能に係止することも可能である。
なお、説明の便宜のために、グリップバンド６と握り手が触れる面を表面側とし、その裏側の面、すなわち、手とは反対の側に向けられた面を、背面側と定義している。
本例では、ＩＣカード係止手段７として、面ファスナーを用いているが、面ファスナーに限らず、吸盤を用いて吸着させてもよいし、その他の方法でも構わない。着脱可能であれば係止する手段は問わない。但し、保持されるＩＣカードとリーダー・ライターとの通信の妨げとならない方法が望ましい。
【００２９】
なお、本例のような二本杖の場合、いずれの杖にも伸縮手段４及びＩＣカード保持手段５を設けることは、本発明が当然に許容するところであるが、いずれか一方の杖にのみ、各手段を設け、他方の杖にはそのような手段を設けない、という構成も可能である。
もし、いずれか一方の杖にのみ伸縮手段４及びＩＣカード保持手段５を設ける場合には、右手側の杖に備えるのが望ましい。
例えば、交通系ＩＣカードを使用して公共交通機関を利用する場合、通例として改札が右手側に設置されていることから、右手側であれば、歩行用杖１のＩＣカード保持手段５を使用して改札を通過することが可能なためである。
【００３０】
なお、二本杖の場合には、両手ともに杖を握っているため、もし、ＩＣカード保持手段５がリーダー等に届かず、やむを得ずコード４ｂを伸ばさなければならない状態となった場合に、他方の杖から手を放さなければならないといった状態に陥る可能性がある。
そこで、二本杖を使用している本例では、他方の杖を一方の杖に係止する手段を備えている。
【００３１】
伸縮手段４及びＩＣカード保持手段５を備えていない、もしくは備えていたとしてもすぐに使用する必要ない方の歩行用杖１（以下、単に「第２杖」という。）を、伸縮手段４及びＩＣカード保持手段５を備えた歩行用杖１（以下、単に「第１杖」という。）に係止する杖係止手段８としては、例えば、図５に示す面ファスナー８１、図６に示す永久磁石８２、図７および図８に示す係止具８３などが挙げられる。
【００３２】
杖係止手段８として、図５のように面ファスナー８１を用いる場合には、例えば、第１杖と第２杖のグリップバンド６の背面側に面ファスナー８１を設け、双方のグリップバンド６の背面側が向かい合うように係止させる方法が挙げられる。
なお、ＩＣカード係止手段７として、グリップバンド６の背面側に面ファスナーを採用している場合には、その面ファスナーをそのまま杖の係止に活用することも可能である。
【００３３】
杖係止手段８として、図６で示す永久磁石８２を用いる場合には、例えば、第１杖と第２杖のグリップ３の周辺に永久磁石８２を設け、双方の杖を磁力によって係止する方法が挙げられる。但し、この方法は設置箇所と磁力の強さによってはＩＣカードに影響を与える可能性があるため、ＩＣカード保持手段５の向きと永久磁石８２の向きが一致しないようにするか、又は影響がない程度に離して設置することが望ましい。
歩行用杖１の重さを考慮すれば、図６のようにシャフト２の軸方向に配置された３点ほどの永久磁石８２により係止させる方法が安定しているが、永久磁石８２の数に制限はなく、係止方法もこれに限定されるものではない。
【００３４】
杖係止手段８として、図７に示すような係止具８３を用いる場合には、第１杖又は第２杖のいずれかに係止部８３aを設け、他方にそれを受ける被係止部８３ｂを設けるという方法が挙げられる。
係止部８３ａが突起や鉤状の構造であれば、被係止部８３ｂに孔を用いて、挿通させることで係止することができる。
その他、突起構造を有する係止部８３ａを被係止部８３ｂの溝に嵌め込み、図８のように、係止する方法を採用してもよい。
【００３５】
杖係止手段８は既述の方法に限られるものではなく、例えば、図９に示すように、永久磁石８２と係止具８３を組み合わせてもよい。併用した場合には、いずれかを用いる場合よりも、より係止力を高めることができる。
【産業上の利用可能性】
【００３６】
本発明の杖は、コードを伸縮させる伸縮手段と、コードに連結され、ＩＣカードを保持するＩＣカード保持手段とを備えることで、杖を使用しながらでも、ＩＣカードを落下させることなく柔軟に使用することができ、店舗及び自動販売機での決済、公共交通機関の利用など、ＩＣカードを使用できる様々な施設と設備で、効果的に利用することができる。
【符号の説明】
【００３７】
１  歩行用杖
２  シャフト
３  グリップ
４  伸縮手段
４ａ  コード収納部
４ｂ  コード
５  ＩＣカード保持手段
６  グリップバンド
７  ＩＣカード係止手段
８  杖係止手段
８１  面ファスナー（杖係止手段）
８２  永久磁石（杖係止手段）
８３  係止具（杖係止手段）
８３ａ  係止部
８３ｂ  被係止部
【図１】
2020025744.tif 000003
【図２】
2020025744.tif 000004
【図３】
2020025744.tif 000005
【図４】
2020025744.tif 000006
【図５】
2020025744.tif 000007
【図６】
2020025744.tif 000008
【図７】
2020025744.tif 000009
【図８】
2020025744.tif 000010
【図９】
2020025744.tif 000011